(57)【要約】【課題】　廃棄コストを低減できる磁気ヘッド及びその製造方法を提供する。【解決手段】　磁気ヘッド44Aのバックコア30Aは、板形状の配列部外脚部35Aを有したものになっている。このため、バックコア30Aを金型成形により得る場合、成形しやすくなり、金型製作費の低減を図ることができる。基部31に、記録再生用及び消去用コイル13，14を嵌着する第１、第２の脚部32，33、第３の脚部34、及び配列部外脚部35を形成して構成されたバックコア30と、記録再生用コア体36及び消去用コア体37を接合してなるコア組立体38に、第１、第２のアウトリガー39，40を接合して構成されたフロントコア43とを備えた。加工時に全高寸法調整ミス、加工治具からの飛散等の不具合が発生して部品廃棄するようになった場合でも、廃棄するのはバックコア30またはフロントコア43のうち不具合発生側の不良部品で済む。【選択図】　　　　図１
2004134080.tif 000002
【特許請求の範囲】
【請求項１】
　記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、
　基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、
　該バックコアの基部は矩形であり、前記第１、第２、第３の脚部は前記基部の一辺側に形成され、前記第１、第２の脚部は前記基部の一辺側の隅部に形成され、かつ、前記配列部外脚部は２本の脚部からなり、前記基部における第１、第２、第３の脚部の配列部から所定距離離間した部分は前記基部の一辺側に対向する他辺側の隅部であり、
　前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする磁気ヘッド。
【請求項２】
　記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、
　基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、
　該バックコアの基部は矩形であり、前記第１、第２、第３の脚部は前記基部の一辺側に形成され、前記第１、第２の脚部は前記基部の一辺側の隅部に形成され、かつ、前記配列部外脚部は板形状であって、前記基部における第１、第２、第３の脚部の配列部から所定距離離間した部分は前記基部の一辺側に対向する他辺側であり、
　前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする磁気ヘッド。
【請求項３】
　記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、
　基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、
　該バックコアの基部はＴ字形であり、前記基部におけるＴ字の横辺部に対応する部分に第１、第２、第３の脚部が形成され、かつ、前記配列部外脚部は１本の脚部からなり、前記基部における第１、第２、第３の脚部の配列部から所定距離離間した部分は前記基部におけるＴ字の縦辺の先端部に対応する部分であり、
　前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする磁気ヘッド。
【請求項４】
　記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、
　基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、
　該バックコアの基部はＵ字形であり、前記基部におけるＵ字の底辺側に対応する部分に第１、第２、第３の脚部が形成され、かつ、前記配列部外脚部は２本の脚部からなり、前記基部における第１、第２、第３の脚部の配列部から所定距離離間した部分は前記基部におけるＵ字の上端部に対応する部分であり、
　前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする磁気ヘッド。
【発明の詳細な説明】
【技術分野】
【０００１】
　本発明は、フロッピー(登録商標)ディスクドライブ装置に用いられる磁気ヘッドに関する。
【背景技術】
【０００２】
　従来の磁気ヘッドの一例として図１１ないし図１４に示す磁気ヘッドがある（特許文献１参照）。図において、１は記録再生用コア体、２は消去用コア体である。記録再生用コア体１は基部３に記録再生用脚部４、記録再生側共通脚部５の２つの脚部を形成して略コ字形になっている。基部３には、記録再生用ギャップ６が設けられている。
【０００３】
　消去用コア体２は、基部７に消去用脚部８、消去側共通脚部９の２つの脚部を形成して略コ字形になっている。基部７には、消去用ギャップ10が設けられており、前記記録再生用ギャップ６によって記録された情報信号トラックをトンネルイレーズするようになっている。図中、11はガラスであり、磁気的な絶縁を図るようにしている。
【０００４】
　記録再生用コア体１及び消去用コア体２は、記録再生側共通脚部５及び消去側共通脚部９を接合させて一体的に形成されて磁気ヘッドコア12を成している。記録再生用脚部４及び消去用脚部８には、それぞれ記録再生用コイル13、消去用コイル14が嵌着されている。
【０００５】
　図中、15，16は第１、第２のアウトリガーである。第１のアウトリガー15は、基板17の一面側に矩形の第１板部18及びＬ字形の第２板部19を空間部を空けて形成したものになっている。第１板部18には、磁性材のバックコア体20がエポキシ系樹脂にて接着されている。第２のアウトリガー16は、軸部21と、軸部21の両端にこの軸部21と直交して設けられた第１、第２の直交軸22，23とからなり、略エ字形に形成されている。
【０００６】
　バックコア体20を接着した第１のアウトリガー15及び第２のアウトリガー16が、前記記録再生用コイル13、消去用コイル14を取り付けた磁気ヘッドコア12を挟むように位置されて、エポキシ系樹脂にて磁気ヘッドコア12に接着されており、スライダー24が構成されている。この場合、バックコア体20が、記録再生用脚部４、記録再生側共通脚部５、消去側共通脚部９、及び消去用脚部８に架橋したものになっており、これにより記録再生用、消去用閉磁路25，26が形成されている。
【０００７】
　第１、第２のアウトリガー15，16及びバックコア体20を磁気ヘッドコア12に接着してスライダー24を構成した状態で、磁気ヘッド全高寸法Ａの調整加工（平面研磨加工）、ブレンド加工（面取り加工）及びギャップデプスＢの寸法調整加工を施す。この場合、磁気ヘッド全高寸法Ａ及びギャップデプスＢは同時に加工される。
【０００８】
　この後、上述したスライダー24をエポキシ系樹脂にてジンバル27に接着し、ジンバル27の裏面（スライダー24の摺動面24a の反対側）に粘着剤（両面テープ）にてフレキシブル・プリント基板（以下、F.P.C という。）28が貼付されている。続いて、記録再生用コイル13のリード線13a 及び消去用コイル14のリード線14a がF.P.C 28の配線にハンダ付け接続される。リード線14a とF.P.C 28の配線が接続されることにより図示しない制御回路が作動するとF.P.C 28を介して記録再生用コイル13、消去用コイル14が制御されるようになっている。
【特許文献１】特開平４−３０２８０６号公報
【発明の開示】
【発明が解決しようとする課題】
【０００９】
　ところで、上述した磁気ヘッドでは、第１、第２のアウトリガー15，16及びバックコア体20を磁気ヘッドコア12に接着してスライダー24を構成し、付加価値が十分高くなった状態で、磁気ヘッド全高寸法調整加工、及びギャップデプス寸法調整加工を行っている。このため、加工時に全高寸法調整ミス、加工治具からの飛散、キズ、カケ等の不具合が発生した場合、不良部品のみならず、良好部品をも廃棄しなければならず廃棄コストが高くなってしまうという問題点があった。
【００１０】
　本発明は、上記事情に鑑みてなされたもので、廃棄コストを低減できる磁気ヘッドを提供することを目的とする。
【課題を解決するための手段】
【００１１】
　請求項１記載の磁気ヘッドに係る発明は、記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、該バックコアの基部は矩形であり、前記第１、第２、第３の脚部は前記基部の一辺側に形成され、前記第１、第２の脚部は前記基部の一辺側の隅部に形成され、かつ、前記配列部外脚部は２本の脚部からなり、前記基部における第１、第２、第３の脚部の配列部から所定距離離間した部分は前記基部の一辺側に対向する他辺側の隅部であり、前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする。
【００１２】
　請求項２記載の磁気ヘッドに係る発明は、記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、該バックコアの基部は矩形であり、前記第１、第２、第３の脚部は前記基部の一辺側に形成され、前記第１、第２の脚部は前記基部の一辺側の隅部に形成され、かつ、前記配列部外脚部は板形状であって、前記基部における第１、第２、第３の脚部の配列部から所定距離離間した部分は前記基部の一辺側に対向する他辺側であり、前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする。
【００１３】
　請求項３記載の磁気ヘッドに係る発明は、記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、該バックコアの基部はＴ字形であり、前記基部におけるＴ字の横辺部に対応する部分に第１、第２、第３の脚部が形成され、かつ、前記配列部外脚部は１本の脚部からなり、前記基部における第１、第２、第３の脚部の配列部から所定距離離間した部分は前記基部におけるＴ字の縦辺の先端部に対応する部分であり、前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする。
【００１４】
　請求項４記載の磁気ヘッドに係る発明は、記録再生用ギャップを有する記録再生用コア体及び消去用ギャップを有する消去用コア体を接合してなるコア組立体、該コア組立体と等しい長さの略直方体でありかつ長手方向に伸びる溝を形成した第１のアウトリガー、並びに前記コア組立体と等しい長さで前記第１のアウトリガーよりも幅狭の直方体の第２のアウトリガーからなり、前記コア組立体の両側に前記第１のアウトリガーと前記第２のアウトリガーを接合してなるフロントコアと、基部が備えられ、該基部に記録再生用コイル及び消去用コイルを嵌着する第１、第２の脚部が形成され、前記基部における前記第１、第２の脚部間に位置して第３の脚部が形成され、前記基部における第１、第２、第３の脚部の配列部から所定距離離間した部分に前記第１、第２、第３の脚部の配列部に対応するように配列部外脚部が形成された磁性材料製のバックコアと、からなり、該バックコアの基部はＵ字形であり、前記基部におけるＵ字の底辺側に対応する部分に第１、第２、第３の脚部が形成され、かつ、前記配列部外脚部は２本の脚部からなり、前記基部における第１、第２、第３の脚部の配列部から所定距離離間した部分は前記基部におけるＵ字の上端部に対応する部分であり、前記バックコアの第１、第２、第３の脚部の頂部に前記フロントコアのコア組立体が位置され、前記バックコアの配列部外脚部の頂部に前記フロントコアの第１のアウトリガーが位置されるようにそれぞれ接合され、かつ前記フロントコアの記録媒体に対する摺動面を形成する面側にブレンド加工が施されてなることを特徴とする。
【発明の効果】
【００１５】
　本願の請求項１〜４に係る発明によれば、バックコアとフロントコアとを個々にアセンブリーしており、加工時に不具合が発生して仮に部品廃棄するようになった場合でも、廃棄するのはバックコアまたはフロントコアのうち不具合発生側の不良部品で済むことになるので、廃棄コストの低減を図ることができる。
　また、磁気ヘッド全高寸法をフロントコアの高さ寸法及びバックコアの高さ寸法から確保したものになってバックコアの高さが磁気ヘッド全高寸法の多くを占めるように設定することにより、その分だけ、フロントコアの高さが低くなるので、加工時に加工治具からの飛散を減少させることが可能となる。
　さらに、バックコアとフロントコアとを接着させる際、両者間の磁気抵抗値及びインダクタンスを測定することが可能となって、インダクタンス測定結果に基づいて所望の特性値のギャップデプスを有するフロントコアの選択を図ることができるので、安定した特性を有する磁気ヘッドを得られることになる。
　また、バックコアとフロントコアとを接着させる際、両者間の磁気抵抗値及びインダクタンスを測定することが可能となる。さらに、フロントコアとバックコアとの接合をエポキシ系樹脂または紫外線硬化樹脂にて行うことにより、大きな接合力が得られる。
【００１６】
　また、本願の請求項１〜４に係る発明によれば、バックコアに装着した記録再生用コイル、消去用コイルを、制御回路に接続する配線基板に接続する場合、フロントコアとバックコアとを接合し、この段階で、記録再生用コイル、消去用コイルが配線基板を介して制御回路の制御を受け得るようにすることが可能となり、その状態で記録再生用コイル、消去用コイルの作動を図ることができる。
【００１７】
　本願の請求項１に係る発明によれば、配列部外脚部が２本の脚部からなり、配列部外脚部がフロントコアに対して２点支持を図るので、配列部外脚部を３本の脚部から構成する場合に比して、全高寸法調整及び平行度調整を精度高く行える。
【００１８】
　本願の請求項２に係る発明によれば、配列部外脚部が板形状とされるので、バックコアを金型成形により得る場合、成形しやすくなり、金型製作費の低減を図ることができる。
　本願の請求項３に係る発明によれば、バックコアの基部がＴ字形をなしており、バックコアの裏面側の平坦度を優れたものにでき、バックコアひいては当該磁気ヘッドをジンバルに適切に載置し得ることになる。
　本願の請求項４に係る発明によれば、バックコアの基部がＵ字形をなしており、全高寸法調整及び平行度調整を精度高く行えると共に、バックコアの裏面の平坦度を良好なものにできる。
【発明を実施するための最良の形態】
【００１９】
　次に、本発明の第１〜４実施の形態を説明する。なお、この実施の形態の説明に先だって、参考例の磁気ヘッド44を図５ないし図１０に基づいて説明する。
　図５及び図６において、30は磁性材料製のバックコアである。バックコア30は、矩形の基部31を有している。この基部31の一辺側の隅部には、記録再生用コイル13及び消去用コイル14を嵌着する第１、第２の脚部32，33が形成されている。この第１、第２の脚部32，33間に位置するようにして基部31には、第３の脚部34が形成されている。第１、第２、第３の脚部32，33，34に対向するように基部31の他辺側には、３本の配列部外脚部35が形成されている。このバックコア30に対して全高寸法Ａの調整加工（平面研磨加工）及び平行度調整加工が施されている。
【００２０】
　また、図５中、36は、記録再生用ギャップ６を有する記録再生用コア体である。この記録再生用コア体36は、図１１ないし図１４に示すものに比して高さが低く設定されている。37は、消去用ギャップ10を有する消去用コア体37である。消去用コア体37は、高さを記録再生用コア体36の高さと同等寸法に設定したものになっている。
【００２１】
　記録再生用コア体36及び消去用コア体37は接合されてコア組立体38を構成している。コア組立体38は、第１、第２、第３の脚部32，33，34の頂部に接合することによりバックコア30と共に記録再生用、消去用閉磁路25，26を形成する。
【００２２】
　図５、図６及び図９中、39，40はコア組立体38の長さと同等の長さを有する第１、第２のアウトリガーである。第１のアウトリガー39は、コア組立体38の長さと同等の長さを有する矩形の基台41を有し、この基台41の一面部（記録媒体の摺動面側）における一辺側部分に長手方向に延びる溝42を形成したものになっている。
【００２３】
　第２のアウトリガー40は、コア組立体38の長さと同等の長さを有する軸部材から構成されている。第１、第２のアウトリガー39，40はコア組立体38の両側を挟むように位置され、このコア組立体38にエポキシ系樹脂にて接着されており、コア組立体38と共にフロントコア43を構成している。第１、第２のアウトリガー39，40及びコア組立体38の接着により構成したフロントコア43に対して、ギャップデプスＢの寸法調整加工及びブレンド加工（面取り加工）が施される。
【００２４】
　そして、図１０に示すように、全高寸法調整加工及び平行度調整加工を施したバックコア30にジンバル27を保持させ、図７及び図１０に示すように、該ジンバル27の裏面に粘着剤にて図示しない制御回路に接続した配線を有するF.P.C （配線基板）28を貼付し、さらに記録再生用コイル13及び消去用コイル14を第１、第２の脚部32，33に嵌着する。
【００２５】
　この後、図８に示すように、バックコア30に、上述したようにギャップデプス調整加工及びブレンド加工を施したフロントコア43をエポキシ系樹脂又はＵＶ系樹脂（紫外線硬化樹脂）にて接着し、バックコア30及びフロントコア43から磁気ヘッドスライダー24を構成すると共に、この磁気ヘッドスライダー24及び他部材から磁気ヘッド44が完成される。
【００２６】
　ここで、本発明の第１〜４実施の形態に係る磁気ヘッドを、図１〜図４に基づき、前記参考例を参照して説明する。
　なお、上記参考例では、バックコア30が矩形の基部31を有し、かつこの基部31に３本の配列部外脚部35を形成したものになっている。これに対し、参考例のバックコア30に代えて、第１実施の形態に係る磁気ヘッド44Aは、図１に示すように構成したバックコア30Aを用いたこと、第２実施の形態に係る磁気ヘッド44Bは、図２に示すように構成したバックコア30Bを用いたこと、第３実施の形態に係る磁気ヘッド44Cは、図３に示すように構成したバックコア30Cを用いたこと、第４実施の形態に係る磁気ヘッド44Dは、図４に示すように構成したバックコア30Dを用いたことが、参考例の磁気ヘッド44と異なっており、以下、異なっている部分について説明する。
【００２７】
　図１の第１実施の形態に係る磁気ヘッド44A（請求項２に相当する。）のバックコア30Aは、板形状の配列部外脚部35Aを有したものになっている。このように構成することにより、バックコア30Aを金型成形により得る場合、成形しやすくなり、金型製作費の低減を図ることができる。
【００２８】
　さらに、第１実施の形態に係る磁気ヘッド44Aは、以下の作用・効果を奏する。
　この磁気ヘッド44Aでは、バックコア30とフロントコア43とを個々にアセンブリーし、バックコア30を構成した段階で全高寸法調整加工及び平行度調整加工を施す一方、フロントコア43を構成した段階でギャップデプス調整加工及びブレンド加工を施して並列的な製造プロセスを経た後、両者を接合して構成されている。このため、加工時に仮に全高寸法調整ミス、加工治具からの飛散、キズ、カケ等の不具合が発生して部品廃棄するようになった場合でも、廃棄するのはバックコア30またはフロントコア43のうち不具合発生側の不良部品で済むことになるので、廃棄コストの低減を図ることができる。
【００２９】
　すなわち、上述した従来技術では、第１、第２のアウトリガー15，16を磁気ヘッドコア12に接着してスライダー24を構成し（すなわち、直列的な製造プロセスを経てスライダー24を得）、かつ付加価値が十分高くなった状態で、磁気ヘッド全高寸法調整加工、及びギャップデプス寸法調整加工を行っているため、加工時に全高寸法調整ミス、加工治具からの飛散、キズ、カケ等の不具合が発生した場合、不良部品のみならず、良好部品をも廃棄しなければならず廃棄コストが高くなってしまうという問題点があった。これに対し、本第1実施の形態によれば不良部品のみを廃棄すれば済むことになり、廃棄コストの低減を図ることができる。また、廃棄部品の数量を少なくすることができると共に、部品交換を容易に行えることとなり、ひいては生産性の向上を図ることができる。
【００３０】
　さらに、加工工程での不良品発生を抑えられるので、製造歩留りを向上できることになる。
【００３１】
　また、バックコア30及びフロントコア43を構成した後、個々に加工処理を施すことができて廃棄コストの低減を図ることができ、かつバックコア30に装着した記録再生用コイル13、消去用コイル14を、制御回路に接続するF.P.C 28に接続した上で、フロントコア43とバックコア30とを接合しているので、フロントコア43とバックコア30とを接合して磁気ヘッド44Aを構成した段階で、記録再生用コイル、消去用コイルが配線基板を介して直ちに制御回路の制御を受けることが可能となる。このため、磁気ヘッド44Aが構成されると、その状態で記録再生用コイル13、消去用コイル14の作動が可能となる。さらに、フロントコア43とバックコア30との接合をエポキシ系樹脂または紫外線硬化樹脂にて行うので、確実に両者の結合を果たすことができる。
【００３２】
　本第1実施の形態では、磁気ヘッド全高寸法Ａをフロントコア43の高さ寸法及びバックコア30の高さ寸法から確保したものになっている。このため、バックコア30の高さが磁気ヘッド全高寸法Ａ（図２参照）の多くを占めるように設定することにより、その分だけ、フロントコア43の高さが低く（底面フラットに）なって加工時に加工治具からの飛散を減少させることが可能となる。
【００３３】
　また、バックコア30とフロントコア43とを接着させる際、両者間の磁気抵抗値及びインダクタンスを測定することが可能となる。このため、インダクタンス測定結果に基づいて所望の特性値のギャップデプスを有するフロントコアの選択を図ることができ、ひいては安定した特性を有する磁気ヘッドを得られることになる。
【００３４】
　図２の第２実施の形態に係る磁気ヘッド44B（請求項１に相当する。）バックコア30 Bは、矩形の基部31に２本の配列部外脚部35Bを形成して構成されており、配列部外脚部35Bがフロントコア43に対して２点支持を図るようにしている。このように構成することにより配列部外脚部35Bを３本としたものに比して全高寸法調整及び平行度調整を精度高く行えることになる。
【００３５】
　図３の第３実施の形態に係る磁気ヘッド44C（請求項３に相当する。）のバックコア30Cは、基部31がＴ字形をなし、かつ１本の配列部外脚部30Cを設けて構成されている。基部31が例えば図５、図１または図２に示すように矩形を成す場合、バックコア30Cを図７または図８に示すジンバル27に載置する上で、裏面側が良好な平坦度を有することが望まれるが、バックコア30Cをこの図３に示すように構成することにより、裏面側の平坦度を優れたものにでき、ひいてはジンバル27に適切に載置し得ることになる。
【００３６】
　図４の第４実施の形態に係る磁気ヘッド44D（請求項４に相当する。）のバックコア30Dは、基部31が略Ｕ字形をなし、２本の配列部外脚部35Dを設けて構成されている。このように構成することにより、全高寸法調整及び平行度調整を精度高く行えると共に、バックコア30の裏面の平坦度を良好なものにできる。
【図面の簡単な説明】
【００３７】
【図１】本発明の第１実施の形態の磁気ヘッドに用いられ、配列部外脚部が板形状をなすバックコアを示す斜視図である。
【図２】本発明の第２実施の形態の磁気ヘッドに用いられ、矩形の基部に２本の配列部外脚部を形成したバックコアを示す斜視図である。
【図３】本発明の第３実施の形態の磁気ヘッドに用いられ、基部がＴ字形をなし、かつ１本の配列部外脚部を設けたバックコアを示す斜視図である。
【図４】本発明の第１実施の形態の磁気ヘッドに用いられ、基部が略Ｕ字形をなし、２本の配列部外脚部を設けたバックコアを示す斜視図である。
【図５】参考例の磁気ヘッドの一部を模式的に示す分解斜視図である。
【図６】図５の磁気ヘッドの一部を示す斜視図である。
【図７】図５の磁気ヘッドの一部に取り付けるジンバル及びF.P.C を示す分解斜視図である。
【図８】図５の磁気ヘッドを示す斜視図である。
【図９】図５の磁気ヘッドのフロントコアを示す斜視図である。
【図１０】図５のバックコアにジンバル及びF.P.C を取り付けた状態を示す斜視図である。
【図１１】従来の磁気ヘッドの一部を示す分解斜視図である。
【図１２】図１１の磁気ヘッドの一部を示す斜視図である。
【図１３】図１１の磁気ヘッドを示す分解斜視図である。
【図１４】図１１の磁気ヘッドを示す斜視図である。
【符号の説明】
【００３８】
　13…記録再生用コイル、14…消去用コイル、28…F.P.C、30…バックコア、31…基部、32…第１の脚部、33…第２の脚部、34…第３の脚部、35…配列部外脚部、36…記録再生用コア体、37…消去用コア体、38…コア組立体、39…第１のアウトリガー、40…第２のアウトリガー、43…フロントコア、44A, 44B,44C, 44D…磁気ヘッド。
【図１】
2004134080.tif 000003
【図２】
2004134080.tif 000004
【図３】
2004134080.tif 000005
【図４】
2004134080.tif 000006
【図５】
2004134080.tif 000007
【図６】
2004134080.tif 000008
【図７】
2004134080.tif 000009
【図８】
2004134080.tif 000010
【図９】
2004134080.tif 000011
【図１０】
2004134080.tif 000012
【図１１】
2004134080.tif 000013
【図１２】
2004134080.tif 000014
【図１３】
2004134080.tif 000015
【図１４】
2004134080.tif 000016